(57)【要約】【課題】本発明は、貫通孔部に外部空間側から圧入された閉塞部材の抜けを規制するストッパ部材を筐体の内部空間側に配置して、筐体外における部材の配置によらずストッパ部材を配置可能な携帯電子機器を提供することを目的とする。【解決手段】携帯電話機１は、表示部側筐体３を構成するフロントケース３ｂの外部空間ＡＲ１と内部空間ＡＲ２とを連通させる貫通孔部２５０と、一端側が貫通孔部２５０に挿通して内部空間ＡＲ２に配置されるフレキシブルプリント基板２００と、フレキシブルプリント基板２００に取り付けられ一部が外部空間ＡＲ１側から貫通孔部２５０に圧入されて貫通孔部２５０を閉塞する第１グロメット２１０と、全部又は一部が内部空間ＡＲ２に配置され第１グロメット２１０に当接又は係合して第１グロメット２１０が該貫通孔部２５０から抜けることを規制するストッパ部材２４０と、を備える。【選択図】図５
2011250076.tif 000002
【特許請求の範囲】
【請求項１】
第１面を有すると共に外郭が第１ケース体で構成される第１筐体と、
第２面を有すると共に外郭が第２ケース体で構成される第２筐体と、
前記第１筐体と前記第２筐体とを連結する連結部であって、前記第１面と前記第２面とが対向して配置される閉状態と、前記第１面と前記第２面とが離間して配置される開状態とに変形可能に前記第１筐体と前記第２筐体とを第１方向に延びる回動軸を中心に回動可能に連結する連結部と、
前記連結部における前記第１方向の一方側に配置され、前記第１方向に延びるように配置される棒状の被取り付け部材と、
前記第１ケース体に形成され、前記第１ケース体における外部空間と内部空間とを連通させる貫通孔部と、
前記被取り付け部材に巻き回されて配置されると共に、一端側が前記貫通孔部に挿通して前記内部空間に配置されるフレキシブルプリント基板と、
前記フレキシブルプリント基板における一端から所定距離だけ離間した位置において該フレキシブルプリント基板に取り付けられ、一部が前記外部空間側から前記貫通孔部に圧入されて前記貫通孔部における前記外部空間側を閉塞する閉塞部材と、
前記貫通孔部における前記閉塞部材よりも前記内部空間側の所定位置に配置されるパッキン部材と、
全部又は一部が前記内部空間に配置され、前記閉塞部材に当接又は係合して、一部が前記貫通孔部に圧入された閉塞部材が該貫通孔部から抜けることを規制するストッパ部材と、を備える
携帯電子機器。
【請求項２】
閉塞部材は、
前記外部空間に配置されるつば部と、
前記貫通孔部に圧入されて前記貫通孔部を閉塞させる閉塞部と、
前記閉塞部における前記内部空間側に延出して形成されると共に、前記貫通孔部の内径方向における長さが、前記閉塞部における前記内径方向における長さよりも短くなるように形成される延出部と、を備え、
前記ストッパ部材は、
前記内部空間に配置される移動規制部と、
前記貫通孔部に挿入される挿入部と、を備える
請求項１に記載の携帯電子機器。
【請求項３】
前記ストッパ部材は、
前記内部空間側から前記外部空間側に向けて、前記挿入部が前記貫通孔部に挿入されるよう移動されることで所定位置に配置され、
前記パッキン部材は、
前記ストッパ部材が移動されることで、前記挿入部の先端部により前記貫通孔部における前記内部空間側から前記外部空間側に挿入（移動）される
請求項２に記載の携帯電子機器。
【請求項４】
前記ストッパ部材における前記移動規制部が前記第１ケース体の内側面における前記貫通孔部近傍に当接された場合、
前記パッキン部材は、前記挿入部における前記先端部により所定位置に位置決めされる
請求項３に記載の携帯電子機器。
【請求項５】
前記ストッパ部材は、
略環状であると共に、該環状における外側から内側に前記フレキシブルプリント基板が挿通可能となるよう形成されるスリット部を備える
請求項２から４のいずれかに記載の携帯電子機器。
【請求項６】
前記ストッパ部材における前記挿入部は、
前記貫通孔部に圧入されて前記貫通孔部における前記内部空間側を閉塞する
請求項２から５に記載の携帯電子機器。
【請求項７】
棒状の被取り付け部材は、前記貫通孔部における前記外部空間側の開口に対向して配置され、
前記貫通孔部における前記内部空間側は、開口側に向かうにしたがって内径が大きくなるよう、開口近傍に平面又は曲面状の傾斜面が形成される
請求項１から６のいずれかに記載の携帯電子機器。
【請求項８】
第１面を有すると共に外郭が第１ケース体で構成される第１筐体と、
前記第１ケース体に形成され、前記第１ケース体における外部空間と内部空間とを連通させる貫通孔部と、
一端側が前記貫通孔を挿通して前記内部空間に配置されるフレキシブルプリント基板と、
前記フレキシブルプリント基板における一端から所定距離だけ離間した位置において該フレキシブルプリント基板に取り付けられ、一部が前記外部空間側から前記貫通孔部に圧入されて前記貫通孔部における前記外部空間側を閉塞する閉塞部材と、
前記貫通孔部における前記閉塞部材よりも前記内部空間側の所定位置に配置されるパッキン部材と、
全部又は一部が前記内部空間に配置され、前記閉塞部材に当接又は係合して、一部が前記貫通孔部に圧入された閉塞部材が該貫通孔部から抜けることを規制するストッパ部材と、を備える
携帯電子機器。
【発明の詳細な説明】
【技術分野】
【０００１】
本発明は、携帯電話機等の携帯電子機器に関する。
【背景技術】
【０００２】
従来、内部に第１基板が配置された第１筐体と、内部に第２基板が配置された第２筐体と、第１筐体と第２筐体とを開閉可能に連結する連結部と、を有する開閉タイプの携帯電話機が存在する。
このような携帯電話機において、第１筐体の内部に配置される第１基板と、第２筐体の内部に配置される第２基板とは、所定のフレキシブルプリント基板により電気的に接続されている。
【０００３】
この場合、フレキシブルプリント基板は、一端が第１筐体に形成された第１貫通孔部に挿通されて第１基板と電気的に接続されると共に、他端が第２筐体に形成された第２貫通孔部に挿通されて第２基板と電気的に接続されることで、第１基板と第２基板とを電気的に接続されるよう構成されている。
【０００４】
また、近年、筐体の内部に水が浸入することが抑制された防水機能を有する携帯電話機が存在する。
そして、上述した開閉タイプの携帯電話機に防水機能を付与するためには、第１筐体や第２筐体に形成されたフレキシブルプリント基板を通すための貫通孔部を閉塞させる必要がある。
【０００５】
ここで、貫通孔部が閉塞され防水機能を有する携帯電話機として、例えば、上筐体の側面に通し孔（貫通孔部）が形成され、通し孔にフレキシブル配線基板（フレキシブルプリント基板が）通されていると共に、フレキシブル配線基板に取り付けられた防水キャップ（閉塞部材）が通し孔に嵌められている携帯電話機が提案されている（例えば、特許文献１参照）。特許文献１の携帯電話機において、防水キャップは、連結部材のカバーであるヒンジカバー部材に形成された抜け止め爪により、通し孔から抜けないように構成されている。
【先行技術文献】
【特許文献】
【０００６】
【特許文献１】特開２００６−３４５２８６号公報
【発明の概要】
【発明が解決しようとする課題】
【０００７】
しかし、特許文献１の携帯電話機において、貫通孔から閉塞部材が抜けることを抑制する抜け止め部材が筐体の外部空間に設けられたヒンジカバー部材に形成されているため、特定構造（構成の位置関係）の場合にしか当該技術が利用できないという問題があった。
例えば、フレキシブルプリント基板を巻き回しておく軸部材が通し孔に対向して配置された場合には、当該携帯電話機において、特許文献１の携帯電話機における抜け止め部材を形成できないという問題があった。
【０００８】
本発明は、筐体に形成された貫通孔部に外部空間側から圧入された閉塞部材が貫通孔部から抜けることを規制するストッパ部材を筐体の内部空間側に配置することで、筐体外における構造や部材の配置によらずストッパ部材を配置可能な携帯電子機器を提供することを目的とする。
【課題を解決するための手段】
【０００９】
本発明は第１面を有すると共に外郭が第１ケース体で構成される第１筐体と、第２面を有すると共に外郭が第２ケース体で構成される第２筐体と、前記第１筐体と前記第２筐体とを連結する連結部であって、前記第１面と前記第２面とが対向して配置される閉状態と、前記第１面と前記第２面とが離間して配置される開状態とに変形可能に前記第１筐体と前記第２筐体とを１方向に延びる回動軸を中心に回動可能に連結する連結部と、前記連結部における前記第１方向の一方側に配置され、前記第１方向に延びるように配置される棒状の被取り付け部材と、前記第１ケース体に形成され、前記第１ケース体における外部空間と内部空間とを連通させる貫通孔部と、前記被取り付け部材に巻き回されて配置されると共に、一端側が前記貫通孔部に挿通して前記内部空間に配置されるフレキシブルプリント基板と、前記フレキシブルプリント基板における一端から所定距離だけ離間した位置において該フレキシブルプリント基板に取り付けられ、一部が前記外部空間側から前記貫通孔部に圧入されて前記貫通孔部における前記外部空間側を閉塞する閉塞部材と、前記貫通孔部における前記閉塞部材よりも前記内部空間側の所定位置に配置されるパッキン部材と、全部又は一部が前記内部空間に配置され、前記閉塞部材に当接又は係合して、一部が前記貫通孔部に圧入された閉塞部材が該貫通孔部から抜けることを規制するストッパ部材と、を備える携帯電子機器に関する。
【００１０】
また、閉塞部材は、前記外部空間に配置されるつば部と、前記貫通孔部に圧入されて前記貫通孔部を閉塞させる閉塞部と、前記閉塞部における前記内部空間側に延出して形成されると共に、前記貫通孔部の内径方向における長さが、前記閉塞部における前記内径方向における長さよりも短くなるように形成される延出部と、を備え、前記ストッパ部材は、前記内部空間に配置される移動規制部と、前記貫通孔部に挿入される挿入部と、を備えることが好ましい。
【００１１】
また、前記ストッパ部材は、前記内部空間側から前記外部空間側に向けて、前記挿入部が前記貫通孔部に挿入されるよう移動されることで所定位置に配置され、前記パッキン部材は、前記ストッパ部材が移動されることで、前記挿入部の先端部により前記貫通孔における前記内部空間側から前記外部空間側に挿入（移動）されることが好ましい。
【００１２】
また、前記ストッパ部材における前記移動規制部が前記第１ケース体の内側面における前記貫通孔部近傍に当接された場合、前記パッキン部材は、前記挿入部における前記先端部により所定位置に位置決めされることが好ましい。
【００１３】
また、前記ストッパ部材は、略環状であると共に、該環状における外側から内側に前記フレキシブルプリント基板が挿通可能となるよう形成されるスリット部を備えることが好ましい。
【００１４】
また、前記ストッパ部材における前記挿入部は、前記貫通孔部に圧入されて前記貫通孔部における前記内部空間側を閉塞することが好ましい。
【００１５】
また、棒状の被取り付け部材は、前記貫通孔部における前記外部空間側の開口に対向して配置され、前記貫通孔部における前記内部空間側は、開口側に向かうにしたがって内径が大きくなるよう、開口近傍に平面又は曲面状の傾斜面が形成されることが好ましい。
【００１６】
本発明は第１面を有すると共に外郭が第１ケース体で構成される第１筐体と、前記第１ケース体に形成され、前記第１ケース体における外部空間と内部空間とを連通させる貫通孔部と、一端側が前記貫通孔を挿通して前記内部空間に配置されるフレキシブルプリント基板と、前記フレキシブルプリント基板における一端から所定距離だけ離間した位置において該フレキシブルプリント基板に取り付けられ、一部が前記外部空間側から前記貫通孔部に圧入されて前記貫通孔部における前記外部空間側を閉塞する閉塞部材と、前記貫通孔部における前記閉塞部材よりも前記内部空間側の所定位置に配置されるパッキン部材と、全部又は一部が前記内部空間に配置され、前記閉塞部材に当接又は係合して、一部が前記貫通孔部に圧入された閉塞部材が該貫通孔部から抜けることを規制するストッパ部材と、を備える携帯電子機器に関する。
【発明の効果】
【００１７】
本発明によれば、筐体に形成された貫通孔部に外部空間側から圧入された閉塞部材が貫通孔部から抜けることを規制するストッパ部材を筐体の内部空間側に配置することで、筐体外における構造や部材の配置によらずストッパ部材を配置可能な携帯電子機器を提供することができる。
【図面の簡単な説明】
【００１８】
【図１】携帯電話機１を開いた状態における外観斜視図である。
【図２】操作部側筐体２を構成する部材を説明する分解斜視図である。
【図３】表示部側筐体３を構成する部材を説明する分解斜視図である。
【図４】防水構造を説明する斜視図である。
【図５】図４におけるＡ―Ａ断面図である。
【図６】図５における領域Ｂの拡大図である。
【図７】フレキシブルプリント基板２００を説明する斜視図である。
【図８】パッキン部材２３０を説明する斜視図である。
【図９】ストッパ部材２４０を説明する斜視図である。
【図１０Ａ】防水構造を形成する手順を説明する図である。
【図１０Ｂ】防水構造を形成する手順を説明する図である。
【図１０Ｃ】防水構造を形成する手順を説明する図である。
【発明を実施するための形態】
【００１９】
以下、図面を参照して本発明を実施するための最良の形態を説明する。
図１により、携帯電子機器としての携帯電話機１における基本構造を説明する。図１は、携帯電話機１を開いた状態における外観斜視図を示す。
【００２０】
図１に示すように、携帯電話機１は、操作部側筐体２（第２筐体）と、表示部側筐体３（第１筐体）と、を備える。また、携帯電話機１は、操作部側筐体２と表示部側筐体３とを開閉可能に連結する連結部４を備える。
携帯電話機１は、開状態と閉状態とに状態変化（変形）可能に構成される。ここで、閉状態とは、操作部側筐体２と表示部側筐体３とが互いに重なるように配置された状態であり、詳細には、両筐体における所定の面同士が対向するように配置された状態である。本実施形態においては、操作部側筐体２における操作部側内面２Ａ（第２面）と、表示部側筐体３における表示部側内面３Ａ（第１面）とが互いに対向するように配置された状態である。また、開状態とは、操作部側筐体２と表示部側筐体３とが互いに重ならないように配置された状態であり、詳細には、両筐体における所定の面同士が対向せずに離間して配置された状態である。本実施形態においては、操作部側筐体２における操作部側内面２Ａ（第２面）と、表示部側筐体３における表示部側内面３Ａ（第１面）とが互いに対向せずに離間して配置された状態である。
【００２１】
操作部側筐体２は、操作部側内面２Ａと、操作部側外面２Ｂとを有する。操作部側内面２Ａは、携帯電話機１が閉状態において表示部側筐体３の表示部側内面３Ａと対向して配置される面である。
操作部側筐体２は、外面（外郭）がフロントケース２ａと、リアケース２ｂと、バッテリカバー２ｃとにより構成される。
操作部側筐体２には、操作キー群１１と、使用者が通話時に発した音声が入力される音声入力部１２と、主電源操作部１９とがそれぞれ外部に露出して配置される。本実施形態において、操作キー群１１（サイドキー１６除く）と、音声入力部１２と、主電源操作部１９とは、操作部側筐体２における操作部側内面２Ａに並んで配置される。
【００２２】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５と、サイドキー１６とを含んで構成される。操作キー群１１を構成する各キーそれぞれには、携帯電話機１における開閉状態、各種モードや起動されているアプリケーションの種類等に応じて、それぞれ所定の機能が割り当てられる（キー・アサイン）。そして、使用者により各キーが押圧されることにより、押圧時において各キーに割り当てられている機能に応じた動作が携帯電話機１において実行される。
【００２３】
音声入力部１２は、操作部側筐体２の長手方向における連結部４側と反対の外端部側に配置される。つまり、音声入力部１２は、携帯電話機１が開状態において一方の外端部側に配置される。
【００２４】
操作部側筐体２における一方側の側面には、外部機器（例えば、ホスト装置）と通信を行うためのインターフェース（図示せず）と、外部メモリの挿入及び取り出しが行われるインターフェース（図示せず）とが配置される。各インターフェースは、不使用時にはキャップにより覆われる。操作部側筐体２における他方側の側面には、所定の機能が割り当てられたサイドキー１６が配置される。
【００２５】
表示部側筐体３は、表示部側内面３Ａと、表示部側外面３Ｂとを有する。表示部側内面３Ａは、携帯電話機１が閉状態において操作部側筐体２の操作部側内面２Ａと対向して配置される面である。
表示部側筐体３は、外面（外郭）がフロントパネル３ａと、フロントケース３ｂと、リアケース３ｃとにより構成される。
表示部側筐体３には、メイン表示部２１と、サブ表示部２２と、通話の相手側の音声を出力する音声出力部２５とが外部に露出して配置される。
【００２６】
メイン表示部２１は、表示部側筐体３における表示部側内面３Ａに配置される。メイン表示部２１は、文字情報や画像情報等の各種情報を表示可能に構成される。メイン表示部２１は、携帯電話機１が開状態において、使用者により視認される表示部である。
【００２７】
サブ表示部２２は、表示部側筐体３における表示部側外面３Ｂに配置される。サブ表示部２２は、メイン表示部２１より表示領域が小さい表示部である。サブ表示部２２は、文字情報や画像情報等の各種情報を表示可能に構成される。サブ表示部２２は、携帯電話機１が閉状態において、使用者により視認される表示部である。
【００２８】
音声出力部２５は、表示部側筐体３における表示部側内面３Ａに配置される。音声出力部２５は、表示部側筐体３２の長手方向における連結部４側と反対の外端部側に配置される。つまり、音声出力部２５は、携帯電話機１が開状態において他方の外端部側に配置される。
【００２９】
連結部４は、開閉ヒンジ機構を有して構成される。連結部４は、操作部側筐体２の上端部と表示部側筐体３の下端部との間に配置される。連結部４は、操作部側筐体２と表示部側筐体３とを互いに回動可能に連結する。詳細には、連結部４は、操作部側筐体２と表示部側筐体３とをヒンジ機構における回動軸Ｚを中心に回動可能に連結する。
ここで、本実施形態において、連結部４の回動軸Ｚ方向（第１方向）における一方側には、棒状の被取り付け部材３００が配置される。被取り付け部材３００は、回動軸Ｚ方向に延びるように配置される。
【００３０】
次いで、図２及び図３により、携帯電話機１を構成する基本的な部材について説明する。図２は、操作部側筐体２を構成する部材を説明する分解斜視図である。図３は、表示部側筐体３を構成する部材を説明する分解斜視図である。
【００３１】
図２に示すように、操作部側筐体２は、キー構造部４０と、フロントケース２ａ（第２ケース体）と、キー基板５０と、ケース体６０と、回路基板７０と、アンテナ部９０と、防水用パッキン９５と、リアケース２ｂ（第２ケース体）と、バッテリ８０と、バッテリカバー２ｃとを備える。
【００３２】
操作部側筐体２における外面（外郭）は、フロントケース２ａとリアケース２ｂとが互いの凹状の内側面が向き合うように配置され、互いの外周縁が重なり合うようにして結合されると共に、リアケース２ｂにバッテリカバー２ｃが装着されることで形成される。
【００３３】
キー構造部４０は、フロントケース２ａの外面側に配置される。キー基板５０と、ケース体６０と、回路基板７０と、アンテナ部９０と、防水用パッキン９５と、バッテリ８０とは、フロントケース２ａとリアケース２ｂとの間（操作部側筐体２の内部）に配置（内蔵）される。
【００３４】
フロントケース２ａには、開口部１４ａと、開口部１４ａの外縁に形成される載置部１４ｃとが形成される。
載置部１４ｃには、キー構造部４０が載置される。
開口部１４ａは、載置部１４ｃに載置されるキー構造部４０と、キー基板５０とが当接した状態で積層配置可能となるよう形成される。
【００３５】
キー構造部４０は、操作部材４０Ａと、キーシート４０Ｃとを有して構成される。
操作部材４０Ａは、複数のキー操作部材により構成される。具体的には、操作部材４０Ａは、機能設定操作キー部材１３ｂと、入力操作キー部材１４ｂと、決定操作キー部材１５ｂとにより構成される。
操作部材４０Ａを構成する各操作キー部材それぞれは、キーシート４０Ｃにおける所定箇所に接着される。キーシート４０Ｃに接着された各操作キー部材それぞれにおける押圧面は、外部に露出して配置される。
【００３６】
キーシート４０Ｃは、可撓性を有するシリコンゴム製のシート状部材である。キーシート４０Ｃには、複数の凸部が形成される。複数の凸部は、キーシート４０Ｃにおけるキーフレーム４０Ｂが配置される側の面に形成される。複数の凸部は、後述するキースイッチ５１、５２、５３それぞれに対応する位置に形成される。
【００３７】
キー基板５０は、キー構造部４０におけるキーシート４０Ｃ側の面である第１面５０ａに配置される複数のキースイッチ５１、５２、５３を有する。
複数のキースイッチ５１、５２、５３それぞれは、各操作部材４０Ａに対応する位置に配置される。キースイッチ５１、５２、５３は、椀状に湾曲して立体的に形成された金属板のメタルドームと、スイッチ端子（図示せず）とを有する。メタルドームは、その椀状形状の頂点が押圧されると、キー基板５０の表面に印刷された電気回路（図示せず）に形成されるスイッチ端子に接触して電気的に導通するように構成される。
【００３８】
ケース体６０は、薄型の略直方体形状であって一の広い面が開口した形状を有する導電性の部材である。
ケース体６０は、回路基板７０に対向して配置される平板部６１と、平板部６１における回路基板７０側の面に対して略垂直に形成されるリブ６２（壁部）を有する。リブ６２は、回路基板７０に実装される各種電子部品のうち最も高さのある電子部品の高さと同等又はそれよりも十分に高くなるよう形成される。リブ６２は、平板部６１の周縁及び内側に、基準電位部を構成する基準電位パターン層７５に対応するように形成される。
また、ケース体６０は、シールドケースとして機能する。ケース体６０は、外部からの高周波等のノイズが回路基板７０に配置される各種電子部品に作用するのを抑制すると共に、ＲＦ（Ｒａｄｉｏ  Ｆｒｅｑｕｅｎｃｙ）回路、ＣＰＵ回路、電源回路等から放出（伝播）されるノイズを遮蔽して、他の電子部品やアンテナに接続される受信回路等に作用することを抑制する。
なお、ケース体６０は、金属により形成されるほか、骨格が樹脂により形成され、その表面に導体膜が形成されたものでもよい。
【００３９】
回路基板７０は、平板状の基板部７１と、基板部７１における第１面７０ａ側に実装される電子部品及び各種回路ブロックと、基板部７１における第１面７０ａの表面に形成される基準電位パターン層７５（グランドパターン層）とを有する。
基板部７１に実装される電子は、例えば、アンテナ部９０が送受信する信号を処理する信号処理部を含む電子部品等が例示される。また、回路ブロックは、例えば、ＲＦ（Ｒａｄｉｏ  Ｆｒｅｑｕｅｎｃｙ）回路や電源回路が例示される。
基準電位パターン層７５は、基板部７１の外縁や、各回路ブロックを区画する箇所に形成される。基準電位パターン層７５は、例えば、回路基板７０における第１面７０ａの表面に導電性の部材を印刷することで形成される。
【００４０】
アンテナ部９０は、基台上に所定形状のアンテナエレメントが配置されることにより構成さる。アンテナ部９０は、携帯電話機１における連結部４側と反対の端部側に配置される。アンテナ部９０のアンテナエレメントは、帯状の板金により形成される。また、アンテナ部９０は、不図示の給電端子を介して回路基板７０から給電される。これにより、アンテナエレメントは、給電端子を介して回路基板７０から給電されると共に、回路基板７０のＲＦモジュール等と接続される。
【００４１】
防水用パッキン９５は、フロントケース２ａの外縁とリアケース２ｂの外縁とに挟まれて配置される。防水用パッキン９５は、環状であってフロントケース２ａ及びリアケース２ｂの外縁に対応した形状である。防水用パッキン９５は、シリコンゴム等の弾性材により構成される。
【００４２】
バッテリ８０は、リアケース２ｂに形成されたバッテリ用開口８１を介して操作部側筐体２に収容配置される。
バッテリカバー２ｃは、リアケース２ｂにおける外面側からバッテリ８０を覆うように配置される。
【００４３】
操作部側筐体２には、上述した部材のほか、音声入力部１２を構成するマイク等の部材が内部に収容配置される。
【００４４】
図３に示すように、表示部側筐体３は、フロントパネル３ａと、メイン表示部２１と、フロントケース３ｂ（第１ケース体）と、表示部側基板８６と、サブ表示部２２と、リアケース３ｃとを備える。
ここで、本実施形態において、一端が操作部側筐体２の内部に配置された回路基板７０に接続されるフレキシブルプリント基板２００における他端が、表示部側基板８６に接続されるために後述する貫通孔部２５０を介して表示部側筐体３の内部に挿入配置される。
【００４５】
表示部側筐体３における外面（外郭）は、フロントケース３ｂとリアケース３ｃとが互いの外周縁が重なり合うようにして結合されると共に、フロントケース３ｂにフロントパネル３ａが取り付けられることで形成される。
【００４６】
フロントパネル３ａは、平板状の光透過性部材である。フロントパネル３ａは、メイン表示部２１を保護すると共に、メイン表示部２１により表示された画像等を外部に透過させる部材である。
【００４７】
メイン表示部２１は、液晶パネルと、液晶パネルを駆動する駆動回路と、液晶パネルの背面側から光を照射するバックライト等の光源部とを含んで構成される。
メイン表示部２１は、フロントケース３ｂにおけるフロントパネル３ａ側に配置される。
【００４８】
フロントケース３ｂは、板金部材を樹脂インサート成型することにより形成されている。フロントケース３ｂを構成する板金部材は、フロントケース３ｂの強度を向上させると共に、シールド部材として機能する。
また、フロントケース３ｂには、連結部４側の側面に貫通孔部２５０が形成される。上述したフレキシブルプリント基板２００における一端側の第１部２０１は、貫通孔部２５０から挿入されて表示部側筐体３の内部に配置される。
また、貫通孔部２５０は、フレキシブルプリント基板２００に取り付けられた第１グロメット２１０（閉塞部材）により、水が外部から内部空間ＡＲ２内に侵入しないよう閉塞される。
ここで、貫通孔部２５０を閉塞する防水構造については、後に詳述する。
【００４９】
表示部側基板８６は、平板状の部材であって、メイン表示部２１やサブ表示部２２等と電気的に接続される部材である。
本実施形態において、表示部側基板８６には、中央部に開口部８６ａが形成される。開口部８６ａには、サブ表示部２２が（挿通）配置される。
また、本実施形態において、表示部側基板８６には、カメラモジュール１９０が実装される。
【００５０】
サブ表示部２２は、フロントケース３ｂにおけるリアケース３ｃ側に積層配置される。
サブ表示部２２は、液晶パネルと、液晶パネルを駆動する駆動回路と、液晶パネルの背面側から光を照射するバックライト等の光源部とを含んで構成される。
サブ表示部２２は、表示領域がメイン表示部２１の表示領域より小さい表示部である。
サブ表示部２２は、表示部側筐体３の厚さ方向において、表示領域がメイン表示部２１の表示領域と反対側を向いて配置される。
【００５１】
リアケース３ｃは、フロントケース３ｂと共に表示部側基板８６やサブ表示部２２を収容する。
操作部側筐体２には、上述した部材のほか、音声入力部１２等の部材が内部に収容配置される。
【００５２】
続けて、図４から図９により、フレキシブルプリント基板２００の取り付け状態について説明する。
図４は、防水構造を説明する斜視図である。図５は、図４におけるＡ―Ａ断面図である。図６は、図５における領域Ｂの拡大図である。図７は、フレキシブルプリント基板２００を説明する斜視図である。図８は、パッキン部材２３０を説明する斜視図である。図９は、ストッパ部材２４０を説明する斜視図である。
【００５３】
図４から６に示すように、フレキシブルプリント基板２００は、中央部２０３が棒状の被取り付け部材３００に巻き回されて配置される。そして、フレキシブルプリント基板２００における一端側の第１部２０１は、表示部側筐体３（第１筐体）を構成するフロントケース３ｂ（第１ケース体）における連結部４側の側面に形成される貫通孔部２５０に挿通して表示部側筐体３の内部空間ＡＲ２に配置される。
外部空間ＡＲ１から表示部側筐体３の内部空間ＡＲ２に水が侵入することを抑制する防水構造は、フレキシブルプリント基板２００に取り付けられる第１グロメット２１０と、パッキン部材２３０と、ストッパ部材２４０とを有して構成される。
【００５４】
図４から図７に示すように、フレキシブルプリント基板２００は、一端側の第１部２０１と、中央部２０３と、他端側の第２部２０２を有する。
第１部２０１は、貫通孔部２５０に挿通して表示部側筐体３の内部空間ＡＲ２に配置される。第１部２０１は、表示部側筐体３の内部に配置される表示部側基板８６に電気的に接続される。
第２部２０２は、操作部側筐体２に形成された不図示の貫通孔部に挿通して、操作部側筐体２の内部空間に配置される。第２部２０２は、操作部側筐体２の内部に配置される回路基板７０に電気的に接続される。
中央部２０３は、棒状の被取り付け部材３００に巻き回されて配置される。中央部２０３は、携帯電話機１が開閉変形するために必要な弛み部分である。
【００５５】
フレキシブルプリント基板２００には、第１グロメット２１０と、第２グロメット２２０とが取り付けられる。
第１グロメット２１０は、フレキシブルプリント基板２００の第１部２０１における端部から所定距離だけ離間した位置において、フレキシブルプリント基板２００に取り付けられる。具体的には、第１グロメット２１０は、第１部２０１と中央部２０３との間に取り付けられる。
【００５６】
第１グロメット２１０は、弾性材により構成される部材である。第１グロメット２１０は、フレキシブルプリント基板２００の外面に隙間無く密着して取り付けられる。
第１グロメット２１０は、一部が外部空間ＡＲ１側から貫通孔部２５０に圧入されて、貫通孔部２５０における外部空間ＡＲ１側を閉塞する。
【００５７】
第１グロメット２１０は、つば部２１１と、閉塞部２１３と、延出部２１５とを有する。
つば部２１１は、外部空間ＡＲ１に配置される。つば部２１１は、第１グロメット２１０における内部空間ＡＲ２側への移動を規制する部分である。また、つば部２１１は、閉塞部２１３と共に貫通孔部２５０に水が侵入することを抑制する部分である。
【００５８】
閉塞部２１３は、貫通孔部２５０に圧入されて貫通孔部２５０を閉塞させる。閉塞部２１３は、自然状態において貫通孔部２５０の内径よりも大きな外径を有する。閉塞部２１３は、貫通孔部２５０に変形されながら挿入される。閉塞部２１３は、貫通孔部２５０内においては貫通孔部２５０の内側面に弾性力を有した状態で密着して、貫通孔部２５０における外部空間ＡＲ１側の所定領域を閉塞させる。
【００５９】
延出部２１５は、閉塞部２１３おける内部空間ＡＲ２側に延出して形成されると共に、貫通孔部２５０の内径方向における長さが、閉塞部２１３における内径方向における長さよりも短くなるように形成される部分である。
【００６０】
延出部２１５には、後述するパッキン部材２３０が被挿される。つまり、延出部２１５における外周には、パッキン部材２３０が配置される。
延出部２１５には、パッキン部材２３０の移動をガイドするガイド部２１５ｂが形成される。ガイド部２１５ｂは、延出部２１５における貫通孔部２５０の内側面と対向する対向面に形成される。ガイド部２１５ｂは、貫通孔部２５０の内側面との距離が、内部空間ＡＲ２側が広く、外部空間ＡＲ１側が狭くなるように対向面に形成される傾斜面である。ガイド部２１５ｂにより、パッキン部材２３０は、貫通孔部２５０にスムースに挿入されると共に、所定の位置においては弾性変形して貫通孔部２５０を閉塞して配置される。
【００６１】
また、延出部２１５における内部空間ＡＲ２側の端部には、係合爪部２１５ａが形成される。係合爪部２１５ａは、後述するストッパ部材２４０に形成される被係合爪部２４５に係合する。これにより、第１グロメット２１０とストッパ部材２４０とが係合し、第１グロメット２１０が貫通孔部２５０から外部空間ＡＲ１側に抜けることが抑制される。
【００６２】
第２グロメット２２０は、第２部２０２と中央部２０３との間に取り付けられる。
第２グロメット２２０の構造は、第１グロメット２１０の構造と同様である。
【００６３】
図５、図６及び図８に示すように、パッキン部材２３０は、環状の弾性部材であって、貫通孔部２５０に配置される。パッキン部材２３０は、第１グロメット２１０の延出部２１５における外周に弾性変形した状態で配置される。パッキン部材２３０は、所定位置で貫通孔部２５０を閉塞した状態で配置される。
【００６４】
パッキン部材２３０は、内部空間ＡＲ２側から貫通孔部２５０に挿入される。具体的には、パッキン部材２３０は、フレキシブルプリント基板２００の第１部２０１における端部から該第１部２０１に被挿させ、第１部２０１に沿って移動させることで、貫通孔部２５０における内部空間ＡＲ２側の内開口２５５に挿入される。そして、パッキン部材２３０は、後述するストッパ部材２４０が該ストッパ部材２４０の一部（挿入部２４３）を貫通孔部２５０に挿入するように移動されることで、該一部（挿入部２４３）の先端部２４７により貫通孔部２５０における内部空間ＡＲ２側から外部空間ＡＲ１側に挿入（移動）される。ここで、後述するストッパ部材２４０における移動規制部２４４（当接面２４６）がフロントケース３ｂの内側面における貫通孔部２５０近傍の壁部２９０に当接された場合、パッキン部材２３０は、先端部２４７により所定位置（所望位置）に位置決めされる。
【００６５】
図４から図６及び図９に示すように、ストッパ部材２４０は、一部が内部空間ＡＲ２に配置されると共に、一部が貫通孔部２５０に挿入配置される。ストッパ部材２４０は、第１グロメット２１０に係合して、第１グロメット２１０が貫通孔部２５０から抜けることを規制する部材である。
【００６６】
ストッパ部材２４０は、略環状であると共に、該環状における外側から内側にフレキシブルプリント基板が挿通可能となるよう形成されるスリット部２４２を備える。ストッパ部材２４０は、スリット部２４２にフレキシブルプリント基板２００（第１部２０１）を挿通させるようにして、貫通孔部２５０における内開口２５５の近傍位置に配置される。ストッパ部材２４０は、スリット部２４２を有することで、フレキシブルプリント基板２００の形状に関わらず、簡易に貫通孔部２５０における内開口２５５の近傍に配置可能である。
【００６７】
また、ストッパ部材２４０は、移動規制部２４４と、挿入部２４３と、被係合爪部２４５とを有する。
移動規制部２４４は、内部空間ＡＲ２に配置される。移動規制部２４４は、当接面２４６を有する。移動規制部２４４（当接面２４６）は、フロントケース３ｂの内側面における貫通孔部２５０近傍の壁部２９０に当接して、ストッパ部材２４０における外部空間ＡＲ１側への移動を規制すると共に、ストッパ部材２４０の位置決めをする。
【００６８】
挿入部２４３は、貫通孔部２５０に挿入される部分である。本実施形態において、挿入部２４３は、貫通孔部２５０に圧入されて、貫通孔部２５０における内部空間ＡＲ２側の所定領域を閉塞する。
また、挿入部２４３は、上述の通り、パッキン部材２３０を貫通孔部２５０の内部空間ＡＲ２側から外部空間ＡＲ１側に移動させると共に、所定位置に位置決めする。詳細には、ストッパ部材２４０は、内部空間ＡＲ２側から外部空間ＡＲ１側に向けて、挿入部２４３が貫通孔部２５０に挿入されるよう移動されることで、所定位置に配置される。ストッパ部材２４０が所定位置に移動されることで、挿入部２４３の先端部２４７は、パッキン部材２３０を貫通孔部２５０における内部空間ＡＲ２側から外部空間ＡＲ１側に挿入（移動）させる。そして、ストッパ部材２４０における移動規制部２４４（当接面２４６）が壁部２９０に当接された場合、挿入部２４３の先端部２４７は、パッキン部材２３０を所定位置に位置決めする。
【００６９】
被係合爪部２４５は、ストッパ部材２４０における延出部２１５側に形成される。被係合爪部２４５は、延出部２１５に形成される係合爪部２１５ａに係合される。
被係合爪部２４５が係合爪部２１５ａに係合されることで、ストッパ部材２４０は、第１グロメット２１０が貫通孔部２５０から抜けでることを規制する。
また、被係合爪部２４５が係合爪部２１５ａに係合されることで、ストッパ部材２４０は、所定（所望）の位置に位置決めされる。
【００７０】
貫通孔部２５０は、フロントケース３ｂにおける連結部４側の側面に形成され、外部空間ＡＲ１と内部空間ＡＲ２とを連通させる貫通孔部である。貫通孔部２５０は、フレキシブルプリント基板２００における第１部２０１を外部空間ＡＲ１から内部空間ＡＲ２に挿入するための貫通孔部である。
貫通孔部２５０は、フレキシブルプリント基板２００に取り付けられる第１グロメット２１０（閉塞部２１３）により外部空間ＡＲ１側が閉塞される。
また、貫通孔部２５０は、内部空間ＡＲ２側から挿入されたパッキン部材２３０により閉塞される。
更に、貫通孔部２５０は、内部空間ＡＲ２側に配置されるストッパ部材２４０における一部（挿入部２４３）により内部空間ＡＲ２側が閉塞される。
【００７１】
また、貫通孔部２５０は、棒状の被取り付け部材３００に対向して形成される。言い換えると、棒状の被取り付け部材３００は、貫通孔部２５０における外部空間ＡＲ１側の外開口２５３に対向して配置される。棒状の被取り付け部材３００が貫通孔部２５０における外開口２５３に対向して配置されていることから、フロントケース３ｂを金型等で成型して製造する場合、貫通孔部２５０における外開口２５３の外縁にＣ面やＲ面を形成することが困難である。
ここで、本実施形態において、貫通孔部２５０における内部空間ＡＲ２側は、開口側に向かうにしたがって内径が大きくなるよう、内開口２５５近傍に平面又は曲面状の傾斜面２５９が形成される。つまり、挿入時に角部に接触することで損傷を受けやすいパッキン部材２３０が挿入される内開口２５５側において、傾斜面（Ｃ面、Ｒ面）が形成されている。
【００７２】
続けて、図１０Ａから図１０Ｃにより、防水構造を形成する手順を説明する。図１０Ａから１０Ｃは、防水構造を形成する手順を説明する図である。
まず、作業者は、フレキシブルプリント基板２００における中央部２０３を棒状の被取り付け部材３００に巻き回すようにして取り付ける。
次いで、作業者は、フレキシブルプリント基板２００における第１部２０１を外開口２５３から貫通孔部２５０に挿入する。これより、フレキシブルプリント基板２００における第１部２０１は、表示部側筐体３の内部空間ＡＲ２に配置される。
また、作業者は、第１グロメット２１０を外開口２５３から貫通孔部２５０に挿入（圧入）する。これにより、貫通孔部２５０における外部空間ＡＲ１側は、第１グロメット２１０（閉塞部２１３）により閉塞される。
【００７３】
続けて、図１０Ａに示すように、作業者は、内部空間ＡＲ２側において、パッキン部材２３０を第１部２０１の端部に被挿させると共に、第１部２０１に沿って移動させて、貫通孔部２５０の内開口２５５の近くに配置させる。そして、作業者は、パッキン部材２３０を矢印Ｆ１方向に移動させて、内開口２５５から貫通孔部２５０に挿入（圧入）する。ここで、貫通孔部２５０における内部空間ＡＲ２側には、内開口２５５の外縁に連続して傾斜面２５９が形成されるので、挿入されるパッキン部材２３０が損傷を受けることが抑制される。
【００７４】
続けて、図１０Ｂに示すように、作業者は、ストッパ部材２４０を矢印Ｆ２方向に移動させて、貫通孔部２５０の内開口２５５の近くに配置させる。
続けて、図１０Ｃに示すように、作業者は、ストッパ部材２４０を移動規制部２４４（当接面２４６）が壁部２９０に当接するまで矢印Ｆ３方向に移動させる。
これにより、パッキン部材２３０は、ストッパ部材２４０の先端部２４７により、貫通孔部２５０の外部空間ＡＲ１側に移動される。ここで、パッキン部材２３０は、第１グロメット２１０の延出部２１５に形成されたガイド部２１５ｂによって移動がガイドされ、スムースに所定位置に配置される。そして、パッキン部材２３０は、所定位置において、貫通孔部２５０を閉塞する。
また、ストッパ部材２４０における挿入部２４３は、貫通孔部２５０内に挿入される。そして、挿入部２４３は、貫通孔部２５０の内部空間ＡＲ２側を閉塞する。
また、ストッパ部材２４０に形成された被係合爪部２４５と第１グロメット２１０に形成された係合爪部２１５ａとが互いに係合した状態になる。これにより、ストッパ部材２４０は、所定位置に位置決めされると共に、第１グロメット２１０が貫通孔部２５０から抜けることを規制する。
【００７５】
本実施形態によれば、ストッパ部材２４０が貫通孔部２５０における第１グロメット２１０が抜ける側と反対側に配置されるので、第１グロメット２１０の抜けが好適に抑制される。
【００７６】
また、本実施形態によれば、ストッパ部材２４０が貫通孔部２５０への挿入方向に移動されることで、パッキン部材２３０は、挿入部２４３の先端部２４７により貫通孔部２５０における内部空間ＡＲ２側から外部空間ＡＲ１側に挿入（移動）される。これにより、携帯電話機１における防水構造は、組み立て容易である。
【００７７】
また、本実施形態によれば、ストッパ部材２４０における移動規制部２４４（当接面２４６）が壁部２９０に当接された場合、パッキン部材２３０は、先端部２４７により所定位置に位置決めされる。これにより、携帯電話機１における防水構造は、組み立て容易である。
【００７８】
また、本実施形態によれば、ストッパ部材２４０は、環状における外側から内側にフレキシブルプリント基板２００が挿通可能となるよう形成されるスリット部２４２を備える。これにより、ストッパ部材２４０は、フレキシブルプリント基板２００の形状に関わらず、貫通孔部２５０に取り付けることができる。
【００７９】
また、本実施形態によれば、ストッパ部材２４０における挿入部２４３は、貫通孔部２５０に圧入されて貫通孔部２５０における内部空間ＡＲ２側を閉塞する。これにより、携帯電話機１における防水性が向上される。
【００８０】
また、本実施形態によれば、貫通孔部２５０における内部空間ＡＲ２側は、内開口２５５側に向かうにしたがって内径が大きくなるよう、内開口２５５近傍に平面又は曲面状の傾斜面２５９が形成される。これにより、内開口２５５側から貫通孔部２５０に挿入されるパッキン部材２３０が損傷を受けることが抑制される。また、これによれば、連結部４における外開口２５３近傍の領域における部材の配置等における制限がなくなり、連結部４等における設計の自由度が向上される。
【００８１】
以上、好適な実施形態について説明したが、本発明は上述した実施形態に限定されることなく種々の形態で実施することができる。例えば、本実施形態において、携帯電子機器として携帯電話機１について説明しているが、これに限定されず、携帯電子機器は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００８２】
また、本実施形態において、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一つの筐体に配置され連結部を有さない型式（ストレートタイプ）でもよい。また、携帯電話機１は、開閉及び回転可能ないわゆる２軸ヒンジタイプであってもよい。
【００８３】
例えば、携帯電子機器は、第１面を有すると共に外郭が第１ケース体で構成される第１筐体と、前記第１ケース体に形成され、前記第１ケース体における外部空間と内部空間とを連通させる貫通孔部と、一端側が前記貫通孔を挿通して前記内部空間に配置されるフレキシブルプリント基板と、前記フレキシブルプリント基板における一端から所定距離だけ離間した位置において該フレキシブルプリント基板に取り付けられ、一部が前記外部空間側から前記貫通孔部に圧入されて前記貫通孔部における前記外部空間側を閉塞する閉塞部材と、前記貫通孔部における前記閉塞部材よりも前記内部空間側の所定位置に配置されるパッキン部材と、全部又は一部が前記内部空間に配置され、前記閉塞部材に当接又は係合して、一部が前記貫通孔部に圧入された閉塞部材が該貫通孔部から抜けることを規制するストッパ部材と、を備えるものであってもよい。
【００８４】
また、本実施形態において、ストッパ部材２４０における一部（挿入部２４３）が貫通孔部２５０に挿入されているが、これに限定されず、ストッパ部材２４０は、全部が内部空間ＡＲ２側に配置されるよう構成されてもよい。
また、本実施形態において、ストッパ部材２４０が第１グロメット２１０に係合されているが、これに限定されず、ストッパ部材２４０は、第１グロメットに当接だけするよう構成されてもよい。
【符号の説明】
【００８５】
１          携帯電話機
２          操作部側筐体（第２筐体）
２Ａ        操作部側内面（第２面）
３          表示部側筐体（第１筐体）
３Ａ        表示部側内面（第１面）
３ｂ        フロントケース（第１ケース体）
４          連結部
２００      フレキシブルプリント基板
２０１      第１部
２０３      中央部
２１０      第１グロメット（閉塞部材）
２１３      閉塞部
２１５      延出部
２３０      パッキン部材
２４０      ストッパ部材
２４２      スリット部
２４３      挿入部
２４４      移動規制部
２４６      当接面
２５０      貫通孔部
２５３      外開口
２５５      内開口
２５９      傾斜面
３００      被取り付け部材
ＡＲ１      外部空間
ＡＲ２      内部空間
Ｚ          回動軸
【図１】
2011250076.tif 000003
【図２】
2011250076.tif 000004
【図３】
2011250076.tif 000005
【図４】
2011250076.tif 000006
【図５】
2011250076.tif 000007
【図６】
2011250076.tif 000008
【図７】
2011250076.tif 000009
【図８】
2011250076.tif 000010
【図９】
2011250076.tif 000011
【図１０Ａ】
2011250076.tif 000012
【図１０Ｂ】
2011250076.tif 000013
【図１０Ｃ】
2011250076.tif 000014